(57)【要約】【課題】下枠フラットサッシに適した下枠保護カバーを提供する。【解決手段】下枠フラットサッシにおける下枠５０の上面を保護する下枠フラットサッシ用下枠保護カバー１であって、該保護カバー１（２，３）は、下枠の長手方向に延在する平板状のカバー本体２１，３１と、このカバー本体２１，３１から下方に突出する室内側係合片２３，３３及び室外側係合片２２，３２と、を備え、前記保護カバー１（２，３）の使用の際には、前記室内側係合片２３，３３及び室外側係合片２２，３２が前記下枠５０に係合され、サッシ障子の戸車が回動する障子用レール部５４，５５上を前記カバー本体２１，３１が覆うように構成する。【選択図】図６
2006124950.tif 000002
【特許請求の範囲】
【請求項１】
下枠フラットサッシにおける下枠の上面を保護する下枠フラットサッシ用下枠保護カバーであって、
該保護カバーは、下枠の長手方向に延在する平板状のカバー本体と、このカバー本体から下方に突出する室内側係合片及び室外側係合片と、を備え、
前記保護カバーの使用の際には、前記室内側係合片及び室外側係合片が前記下枠に係合され、サッシ障子の戸車が回動する障子用レール部上を前記カバー本体が覆うように構成された、
ことを特徴とする下枠フラットサッシ用下枠保護カバー。
【請求項２】
引き違い障子用下枠フラットサッシにおける下枠の上面を保護する下枠フラットサッシ用下枠保護カバーであって、
該保護カバーは、外障子の戸車が回動する外障子用レール部上を覆う室外側保護カバーと、内障子の戸車が回動する内障子用レール部上を覆う室内側保護カバーとから構成されると共に、前記室外側保護カバーと室内側保護カバーとは分離されており、
前記室外側保護カバー及び室内側保護カバーは、それぞれ、下枠の長手方向に延在する平板状のカバー本体と、このカバー本体から下方に突出する室内側係合片及び室外側係合片と、を備え、
前記保護カバーの使用の際には、それぞれの前記室内側係合片及び室外側係合片が前記下枠に係合され、サッシ障子の戸車が回動する外障子用レール部上及び内障子用レール部上をそれぞれのカバー本体が覆うように構成された、
ことを特徴とする下枠フラットサッシ用下枠保護カバー。
【請求項３】
引き違い障子用下枠フラットサッシにおける下枠の上面を保護する下枠フラットサッシ用下枠保護カバーであって、
該保護カバーは、外障子の戸車が回動する外障子用レール部上を覆う室外側保護カバーと、内障子の戸車が回動する内障子用レール部上を覆う室内側保護カバーとがノッチを介して予め一体化されており、
前記保護カバーの使用の際には、前記保護カバーを一体として使用する使用態様と、前記保護カバーを前記ノッチを境に分離して使用する使用態様と、を選択可能な構成とされた、
ことを特徴とする下枠フラットサッシ用下枠保護カバー。
【発明の詳細な説明】
【技術分野】
【０００１】
本発明は、下枠フラットサッシ用下枠保護カバーに関し、詳しくは建物開口部に取付けられた下枠フラットサッシの下枠を、現場作業の際の傷や破損等から保護するための保護カバーに関するものである。
【背景技術】
【０００２】
従来より、建築現場において、建物の屋外から屋内へ、又は屋内から屋外へ様々な部材を搬入、搬出したりする際には、作業者は屋外開口部に取付けられたサッシ窓枠開口から出入りを行なっている。このとき、施工業者や職人が出入りする際に泥や砂などがサッシ下枠内に入り込み、下枠の表面に擦り傷を付けたり、ガラス障子の戸車とレール部材との隙間に砂が噛んで摩耗したり、またモルタルや塗料が付着したり、木材やパネル、ボード等の種々の部材との接触によりサッシ下枠の変形等してしまう場合があり、現場では、サッシ下枠を保護する目的で、サッシ下枠上面全体を覆うように、段ボール紙等の養生材をサッシ下枠上に置いて養生テープ等で固定し、サッシ下枠の傷や損傷等を防いでいる。
しかし、段ボール紙等の養生材をサッシ下枠上に置いて養生テープ等で固定する作業等は手間が掛かる。
そこで、サッシ下枠のレール及び溝形状に即した形状に成形された合成樹脂製カバーで下枠を被覆し、この樹脂カバーの上に直接に障子を建て込むことにより、樹脂カバーでサッシ下枠を保護するとともに、障子を任意に開閉することができるものが知られている（例えば、特許文献１参照）。
【特許文献１】特開平７−２５９２４７号公報（２頁、図１）
【発明の開示】
【発明が解決しようとする課題】
【０００３】
しかしながら、上記発明は、段差式のサッシ下枠用のものであり、上面が略フラットに形成された下枠フラットサッシには適用できるものではなく、近年、需要が増加している下枠フラットサッシ用の下枠保護カバーが望まれているところである。
【０００４】
そこで、本発明の主たる課題は、下枠フラットサッシに適し、現場へのサッシの搬送段階、現場での作業中、作業後竣工前等での各段階に合わせて、適切に下枠を保護する下枠保護カバーを提供することにある。
【課題を解決するための手段】
【０００５】
上記課題を解決した本発明は、次のとおりである。
＜請求項１記載の発明＞
請求項１記載の発明は、下枠フラットサッシにおける下枠の上面を保護する下枠フラットサッシ用下枠保護カバーであって、該保護カバーは、下枠の長手方向に延在する平板状のカバー本体と、このカバー本体から下方に突出する室内側係合片及び室外側係合片と、を備え、前記保護カバーの使用の際には、前記室内側係合片及び室外側係合片が前記下枠に係合され、サッシ障子の戸車が回動する障子用レール部上を前記カバー本体が覆うように構成された、ことを特徴とする下枠フラットサッシ用下枠保護カバーである。
【０００６】
（作用効果）
室内側係合片及び室外側係合片が下枠に係合される構成となっていることにより、下枠フラットサッシ用下枠保護カバーのサッシ見込み方向の移動や回転を防止し、確実に下枠を傷等から保護することができる。
また、製造工場から下枠フラットサッシを出荷する段階若しくは搬送する過程において、この下枠フラットサッシ用下枠保護カバーを予め下枠に装着しておくことが可能となり、予め下枠に養生テープ等で固定しておけば、段ボール紙等の養生材をサッシ下枠上に置いて養生テープ等で固定する作業の手間が省ける。それと共に、この下枠フラットサッシ用下枠保護カバーを予め下枠に装着しておくことにより、施工業者や職人等にとって「この部材は下枠を保護するために使用するもの」という認識がし易くなり、この保護カバーの活用が十分に図れるようになる。
【０００７】
＜請求項２記載の発明＞
請求項２記載の発明は、引き違い障子用下枠フラットサッシにおける下枠の上面を保護する下枠フラットサッシ用下枠保護カバーであって、該保護カバーは、外障子の戸車が回動する外障子用レール部上を覆う室外側保護カバーと、内障子の戸車が回動する内障子用レール部上を覆う室内側保護カバーとから構成されると共に、前記室外側保護カバーと室内側保護カバーとは分離されており、前記室外側保護カバー及び室内側保護カバーは、それぞれ、下枠の長手方向に延在する平板状のカバー本体と、このカバー本体から下方に突出する室内側係合片及び室外側係合片と、を備え、前記保護カバーの使用の際には、それぞれの前記室内側係合片及び室外側係合片が前記下枠に係合され、サッシ障子の戸車が回動する外障子用レール部上及び内障子用レール部上をそれぞれのカバー本体が覆うように構成された、ことを特徴とする下枠フラットサッシ用下枠保護カバーである。
【０００８】
（作用効果）
引き違い障子用下枠フラットサッシにおける、下枠の上面を保護する下枠フラットサッシ用下枠保護カバーが、室外側保護カバーと室内側保護カバーとで分離されて構成されていることにより、下枠フラットサッシ用下枠保護カバーの使用の際には、外障子と内障子とを閉じた態様と、外障子と内障子とを一方向に引き寄せた態様と、を選択可能となるため、現場へのサッシの搬送段階、現場での作業中、作業後竣工前等での各段階に合わせて下枠フラットサッシ用下枠保護カバーの配置を行うことができ、その結果、それぞれの段階で適切に下枠を保護することができる。
【０００９】
＜請求項３記載の発明＞
請求項３記載の発明は、引き違い障子用下枠フラットサッシにおける下枠の上面を保護する下枠フラットサッシ用下枠保護カバーであって、該保護カバーは、外障子の戸車が回動する外障子用レール部上を覆う室外側保護カバーと、内障子の戸車が回動する内障子用レール部上を覆う室内側保護カバーとがノッチを介して予め一体化されており、前記保護カバーの使用の際には、前記保護カバーを一体として使用する使用態様と、前記保護カバーを前記ノッチを境に分離して使用する使用態様と、を選択可能な構成とされた、ことを特徴とする下枠フラットサッシ用下枠保護カバーである。
【００１０】
（作用効果）
引き違い障子用下枠フラットサッシにおける、下枠の上面を保護する下枠フラットサッシ用下枠保護カバーの使用の際には、保護カバーを一体として使用する使用態様と、保護カバーをノッチを境に分離して使用する使用態様と、を選択可能な構成となっていることにより、現場へのサッシの搬送段階、現場での作業中、作業後竣工前等での各段階に合わせて下枠フラットサッシ用下枠保護カバーの配置を行うことができ、その結果、それぞれの段階で適切に下枠を保護することができる。
【発明の効果】
【００１１】
本発明によれば、下枠フラットサッシに適し、現場へのサッシの搬送段階、現場での作業中、作業後竣工前等での各段階に合わせて、適切に下枠を保護することができる等の利点がもたらされる。
【発明を実施するための最良の形態】
【００１２】
以下、本発明の実施の形態を説明する。
＜下枠構造＞
引き違い障子用のフラットサッシに基づき、本発明に係る下枠フラットサッシ用下枠保護カバーによって保護される下枠構造について、まず説明する。図２に示すように、下枠５０は、室内側から室外側を見て、第１の立ち上がり片５１と、第２の立ち上がり片５２と、第３の立ち上がり片５３と、を有しており、第１の立ち上がり片５１と第２の立ち上がり片５２との間に内障子用レール部５４、及び第２の立ち上がり片５２と第３の立ち上がり片５３との間に外障子用レール部５５が形成されている。そして、図７に示すように、内障子用レール部５４上を内障子６１の戸車６１Ａが回動することによって内障子６１が左右スライドし、外障子用レール部５５上を外障子６２の戸車６２Ａが回動することによって外障子６２が左右スライドするようになっている。また、第３の立ち上がり片５３の上部室外側には、網戸６３の戸車６３Ａが回動する網戸レール部５３Ａが形成されている。この網戸レール部５３Ａの室外側端部には、下方に延在する室外側片５３Ｂが形成されている。なお、この室外側片５３Ｂは、網戸レール部５３Ａとで下方に開放された溝を形成し、図１７に示されるように、この溝によってグレーチング９０を乗せる受け支持部材９１の室内側上部９１Ａを係合させ、受け支持部材９１を固定するためのものでもある。
【００１３】
第１の立ち上がり片５１と内障子用レール部５４との間には、内障子室内側垂下片６１Ｂがガイドされる内障子室内側ガイド溝５６が形成されており、内障子用レール部５４と第２の立ち上がり片５２との間には、内障子室外側垂下片６１Ｃがガイドされる内障子室外側ガイド溝５７が形成されている。また、第２の立ち上がり片５２と外障子用レール部５５との間には、外障子室内側垂下片６２Ｂがガイドされる外障子室内側ガイド溝５８が形成されており、外障子用レール部５５と第３の立ち上がり片５３との間には、外障子室外側垂下片６２Ｃがガイドされる外障子室外側ガイド溝５９が形成されている。なお、内障子室内側ガイド溝５６、内障子室外側ガイド溝５７、外障子室内側ガイド溝５８及び外障子室外側ガイド溝５９は、雨水を排水するための排水溝としても機能するものである。
【００１４】
＜下枠フラットサッシ用下枠保護カバー＞
本発明に係る下枠フラットサッシ用下枠保護カバー１は、図１乃至図６に示すように、室外側保護カバー２と室内側保護カバー３とから構成されると共に、これら室外側保護カバー２と室内側保護カバー３とは分離されている。
【００１５】
室外側保護カバー２は、図１、図２、図５及び図６に示すように、サッシ下枠５０の長手方向に延在する平板状のカバー本体２１と、このカバー本体２１の幅方向（サッシ見込み方向）の室外側の端部から下方に突出する室外側係合片２２と、このカバー本体２１の幅方向（サッシ見込み方向）の室内側の端部から下方に突出する室内側係合片２３と、を備えている。本実施の形態では、室外側係合片２２と室内側係合片２３とは、カバー本体２１と同様にサッシ下枠５０の長手方向に延在する面状のものであるが、これに限らず、鉤状（図示せず）にしてもよい。
【００１６】
この室外側保護カバー２の下枠５０への取付けについては、図２及び図６に示すように、第３の立ち上がり片５３に形成された網戸レール部５３Ａの室外側片５３Ｂに室外側係合片２２が外側から重なり合うように係合するようになっており、同様に、外障子用レール部５５上面の側面（詳しくは上面の室内側張出部分の側面）に室内側係合片２３が外側から重なり合うように係合するようになっている。これら室外側係合片２２及び室内側係合片２３によって、室外側保護カバー２のサッシ見込み方向のスライドや回転が防止され、下枠５０に固定されるようになっている。
【００１７】
室外側保護カバー２の室外側係合片２２及び室内側係合片２３が、上述のように下枠５０に係合されることにより、外障子用レール部５５上がカバー本体２１によって覆われ、埃等の付着が防止される。それと共に、網戸レール部５３Ａ上もカバー本体２１によって覆われるので、この網戸レール部５３Ａ上への埃等の付着も防止される。
【００１８】
室内側保護カバー３は、図３乃至図６に示すように、サッシ下枠５０の長手方向に延在する平板状のカバー本体３１と、このカバー本体３１の幅方向（サッシ見込み方向）の室内側の端部から下方に突出する室内側係合片３３と、この室内側係合片３３よりも室外側に位置し、カバー本体３１から下方に突出する室外側係合片３２と、を備えている。本実施の形態では、室外側係合片３２と室内側係合片３３とは、カバー本体３１と同様にサッシ下枠５０の長手方向に延在する平板状のものであるが、これに限らず、鉤状（図示せず）にしてもよい。そして、室外側係合片３２よりも室外側には、カバー本体３１から下方に突出する脚部３４が形成されており、内障子用レール部５４と第２の立ち上がり片５２との段差分の第２の立ち上がり片５２の低さを補っている。なお、この脚部３４については、内障子用レール部５４と第２の立ち上がり片５２とが略同じ高さであったら、必要がないことは言うまでもない。
【００１９】
この室内側保護カバー３の下枠５０への取付けについては、図４及び図６に示すように、内障子用レール部５４上面の側面（詳しくは上面の室外側張出部分の側面）に室外側係合片３２が外側から重なり合うように係合するようになっており、同様に、内障子用レール部５４上面の側面（詳しくは上面の室内側張出部分の側面）に室内側係合片３３が外側から重なり合うように係合するようになっている。そして、前述したように、カバー本体３１から下方に突出する脚部３４によって、内障子用レール部５４と第２の立ち上がり片５２との段差分の第２の立ち上がり片５２の低さを補い、室内側保護カバー３が傾いてしまうことを防いでいる。これら室外側係合片３２、室内側係合片３３及び脚部３４によって、室内側保護カバー３のサッシ見込み方向のスライドや回転が防止され、下枠５０に固定されるようになっている。
【００２０】
室内側保護カバー３の室外側係合片３２及び室内側係合片３３が、上述のように下枠５０に係合されることにより、内障子用レール部５４上がカバー本体３１によって覆われ、埃等の付着が防止される。それと共に、第２の立ち上がり片５２の上面もカバー本体３１によって覆われるので、この第２の立ち上がり片５２の上面への埃等の付着も防止される。
【００２１】
なお、図５に示すように、室外側保護カバー２のカバー本体２１の室内側端部と室内側保護カバー３のカバー本体３１の室外側端部との断面形状が、互いに対向するようにテーパー状になっているが、この形状に限られず、略垂直にカットした形状であってもよい。
【００２２】
下枠フラットサッシ用下枠保護カバー１としては、多様な材質を用いることができるが、硬質ＰＶＣ（ポリ塩化ビニル）等の合成樹脂を押出成形により成形したものを用いることが好ましい。
【００２３】
＜下枠フラットサッシ用下枠保護カバーの使用態様＞
本発明に係る下枠フラットサッシ用下枠保護カバー１の使用態様としては、保護すべき下枠フラットサッシと別々に建築現場に搬送するのではなく、製造工場から下枠フラットサッシを出荷する段階若しくは搬送する過程において、下枠フラットサッシ用下枠保護カバー１を予め下枠５０に装着しておくことが可能となっている。従来のように、現場で段ボール紙等の養生材をサッシ下枠上に置いて養生テープ等で固定するのとは異なり、予め下枠５０に養生テープ等で固定しておけば、段ボール紙等の養生材をサッシ下枠上に置いて養生テープ等で固定する作業の手間を省くことができる。それと共に、この保護カバー１を予め下枠５０に養生テープ等で固定しておくことにより、施工業者や職人等にとって「この保護カバー１は下枠５０を保護する部材である」という認識がしやすくなり、この保護カバー１の活用が十分に図れるようになる。
【００２４】
具体的に説明すると、図８(１)に示すように、現場への搬入の際には、内障子６１と外障子６２とを閉じた状態（クレセントを閉じた状態）で行なわれるものであるから、室外側保護カバー２については、室内側から見て、下枠５０長手方向の右側における、外障子召し合わせ框６２Ｄの右側面と外障子６２の引き残しのためのストッパー５５Ａとの間に挟まるように設置して、養生テープ等によって下枠５０に固定すればよい。
【００２５】
室内側保護カバー３については、下枠５０長手方向の左側における、内障子召し合わせ框６１Ｄの左側面（詳しくは、内障子召し合わせ框６１Ｄの左側面に取付けられた気密ブロック）とストッパー５４Ａとの間に挟まるように設置して、養生テープ等によって下枠５０に固定すればよい。
【００２６】
以上の状態で、現場へ搬入されると、この保護カバー１は下枠の保護材としての認知がされやすくなり、保護材としての活用が図られやすくなる。
【００２７】
サッシは建物開口部に溶接等により固定され、現場での施工作業中は、図８(２)に示すように、外障子及び内障子が左右のどちらかに寄せられ（図８(２)では左側に寄せられている）、開放された部分から、施工業者や職人は建物の屋外から屋内へ、又は屋内から屋外へ様々な部材を搬入、搬出することができるようになっている。このときに、開放された下枠５０の部分に、下枠フラットサッシ用下枠保護カバー１が位置するように置き直せば、施工業者や職人が出入りする際に泥や砂などがサッシ下枠５０内に入り込んでしまったり、またモルタルや塗料が付着したり、木材やパネル、ボード等の種々の部材を下枠５０にぶつけてしまうことを防ぐことができる。図８(２)では、前述したように、室内側から見て、内障子６１が左側に寄せられ、右側を出入り口としているが、この部分の下枠５０の位置（内障子の戸当り框６１Ｅとサッシ左縦枠との間）に室内側保護カバー３を置き直している。なお、図示はしないが、左側を出入り口として、この部分の下枠５０の位置に室外側保護カバー２を置き直してもよい。置き直す際には、下枠フラットサッシ用下枠保護カバー１の長手方向の長さ調整を行う必要性が生ずる場合があるが、このうち短くする必要がある場合には、保護カバー１の長さをカッターナイフ等で切除して調整すればよい。
【００２８】
さらに、現場作業終了後引渡しまでの間においては、図８(１)に示すような当初状態、すなわち内障子６１と外障子６２とを閉じた状態（クレセントを閉じた状態）で、室外側保護カバー２については、室内側から見て、下枠５０長手方向の右側における、外障子召し合わせ框６２Ｄの右側面と外障子６２の引き残しのためのストッパー５５Ａとの間に挟まるように設置して、養生テープ等によって下枠５０に固定し、室内側保護カバー３については、下枠５０長手方向の左側における、内障子召し合わせ框６１Ｄの左側面（詳しくは、内障子召し合わせ框６１Ｄの左側面に取付けられた気密ブロック）とストッパー５４Ａとの間に挟まるように設置して、養生テープ等によって下枠５０に固定しておけば、引渡しまでの間、下枠５０への埃等の付着等を防ぐことができる。
【００２９】
なお、室外側保護カバー２で外障子用レール部５５上面を覆っている状態では、図７に示すように外障子６２の外障子室外側垂下片６２Ｃがカバー本体２１にブロックされ、また外障子室内側垂下片６２Ｂが室内側係合片２３にブロックされるかたちとなっており、外障子６２の左右スライドを防止することによって、外障子用レール部５５上に埃等がのったまま戸車６２Ａが回動し、レール５５と戸車６２Ａの双方が傷つくことを防いでいる。同様に、室内側保護カバー３で内障子用レール部５４上面を覆っている状態では、内障子６１の内障子室外側垂下片６１Ｃがカバー本体３１（及び室外側係合片３２）にブロックされ、また内障子室内側垂下片６１Ｂが室内側係合片３３にブロックされるかたちとなっており、内障子６１の左右スライドを防止することによって、内障子用レール部５４上に埃等がのったまま戸車６１Ａが回動し、レール５４と戸車６１Ａの双方が傷つくことを防いでいる。
【００３０】
＜片引きサッシ、ドア用サッシ等への適用＞
上記においては、引き違い障子用のフラットサッシの下枠保護について説明したが、本発明は引き違い障子用のフラットサッシのみに限られるものではなく、片引きやドア用のフラットサッシ等にも適用することができる。
【００３１】
図９、図１０(１)及び図１０(２)には、片引きサッシへの適用が示されている。下枠７０は、室内側から室外側を見て、第１の立ち上がり片７１と、第２の立ち上がり片７２と、第３の立ち上がり片７３と、を有しており、第２の立ち上がり片７２と第３の立ち上がり片７３との間に戸車６４Ａが回動する片引き障子用レール部７４が形成されている。また、第３の立ち上がり片７３の上部室外側には、網戸６３の戸車６３Ａが回動する網戸レール部７３Ａが形成されている。この網戸レール部７３Ａの室外側端部には、下方に延在する室外側片７３Ｂが形成されている。そして、第２の立ち上がり片７２と片引き障子用レール部７４との間には、室内側垂下片６４Ｂがガイドされる室内側ガイド溝７５が形成されており、片引き障子用レール部７４と第３の立ち上がり片５３との間には、室外側垂下片６４Ｃがガイドされる室外側ガイド溝７６が形成されている。その他の点については、前述した引き違い障子用の下枠５０と略同様なので説明を省略する。
【００３２】
片引きサッシの場合には、下枠フラットサッシ用下枠保護カバーとして上記の室外側保護カバー２のみを用いるものである。この室外側保護カバー２の下枠７０への取付けについては、第３の立ち上がり片７３に形成された網戸レール部７３Ａの室外側片７３Ｂに室外側係合片２２が外側から重なり合うように係合するようになっており、同様に、片引き用レール部７４上面の側面（詳しくは上面の室内側張出部分の側面）に室内側係合片２３が外側から重なり合うように係合するようになっている。これら室外側係合片２２及び室内側係合片２３によって、室外側保護カバー２のサッシ見込み方向のスライドや回転が防止され、下枠７０に固定されるようになっている。
【００３３】
片引きサッシの場合の使用態様としては、現場への搬入は、片引き障子６４を閉じた状態（クレセントを閉じた状態）で行なわれるものであるから、室外側保護カバー２については、図１０(１)に示すように、室内側から見て、下枠７０長手方向の右側における、片引き障子召し合わせ框６４Ｄの右側面と片引き障子６４の引き残しのためのストッパー７４Ａとの間に挟まるように設置して、養生テープ等によって下枠７０に固定しておけばよい。そして、現場での施工作業中は、図１０(２)に示すように、片引き障子６４が嵌め殺し窓６５側に寄せられて、出入り口部分の下枠７０の位置（片引き障子の戸当り框６４Ｅとサッシ左縦枠との間）に室外側保護カバー２を置き直せばよい。なお、片引きサッシの場合における、下枠７０に嵌合する平板上の目板部７７の表面については、養生テープ等で覆うことにより、表面の傷つき等を防止すればよい。また、引き分けサッシ（両引きサッシ）も片引きサッシと略同じ下枠構造であるので、引き分けサッシの保護カバーとしても室外側保護カバー２を用いることができる。その他の点については、前述した引き違い障子用の下枠５０での説明と略同様なので省略する。
【００３４】
図１１と図１２には、ドア用サッシへの適用が示されている。下枠８０は、室内側から室外側を見て、第１の立ち上がり片８１と、第２の立ち上がり片８２と、第３の立ち上がり片８３と、を有しており、第２の立ち上がり片８２と第３の立ち上がり片８３との間に着脱可能な上面構成部８４が形成されている。この上面構成部８４は、外障子用レール部５５、内障子用レール部５４及び片引き障子用レール部７４と同部材であり、これらを転用したものになっている。また、第３の立ち上がり片８３の上部室外側には、下方に延在する室外側片８３Ｂが形成されている。そして、第２の立ち上がり片８２と上面構成部８４との間には、室内側排水溝８５が形成されており、上面構成部８４と第３の立ち上がり片８３との間には、室外側排水溝８６が形成されている。その他の点については、前述した引き違い障子用の下枠５０や片引き用サッシの下枠７０と略同様なので説明を省略する。
【００３５】
ドア用サッシの場合には、片引き用サッシの場合と同様に、下枠フラットサッシ用下枠保護カバーとして上記の室外側保護カバー２のみを用いるものである。この室外側保護カバー２の下枠８０への取付けについては、第３の立ち上がり片８３に形成された室外側片８３Ｂに室外側係合片２２が外側から重なり合うように係合するようになっており、同様に、上面構成部８４上部の側面（詳しくは上面の室内側張出部分の側面）に室内側係合片２３が外側から重なり合うように係合するようになっている。これら室外側係合片２２及び室内側係合片２３によって、室外側保護カバー２のサッシ見込み方向のスライドや回転が防止され、下枠８０に固定されるようになっている。
【００３６】
ドア用サッシの場合の使用態様としては、現場への搬入は、上述のように下枠８０に取付けた状態で行い、現場での施工作業中においても、そのままの状態で、施工業者や職人が出入りする際に泥や砂などがサッシ下枠８０内に入り込んでしまったり、またモルタルや塗料が付着したり、木材やパネル、ボード等の種々の部材を下枠８０にぶつけてしまうことを防ぐことができる。なお、ドア用サッシの場合における、下枠８０の室内側上面８７の表面については、養生テープ等で覆うことにより、表面の傷つき等を防止すればよい。その他の点については、前述した説明と略同様なので省略する。
【００３７】
＜下枠フラットサッシ用下枠保護カバーの他の実施の形態＞
引き違い障子用のフラットサッシに基づき、本発明に係る下枠フラットサッシ用下枠保護カバーの他の実施の形態について説明する。
【００３８】
前述した下枠フラットサッシ用下枠保護カバー１が、予め室外側保護カバー２と室内側保護カバー３とに分離されているのとは異なり、図１３及び図１５に示されるように、下枠フラットサッシ用下枠保護カバー１１は室外側保護カバー１１Ａと室内側保護カバー１１Ｂとが予め一体化され成形されており、現場において室外側保護カバー１１Ａと室内側保護カバー１１Ｂとを分離できるようになっているものである。
【００３９】
この下枠フラットサッシ用下枠保護カバー１１は、サッシ下枠５０の長手方向に延在する平板状の室外側カバー本体１２０と、この室外側カバー本体１２０の幅方向（サッシ見込み方向）の室外側の端部から下方に突出する室外側係合片２２０と、この室外側カバー本体１２０の幅方向（サッシ見込み方向）の室内側の端部から下方に突出する室内側係合片２３０と、を有する室外側保護カバー１１Ａを備えていると共に、サッシ下枠５０の長手方向に延在する平板状の室内側カバー本体１３０と、この室内側カバー本体１３０の幅方向（サッシ見込み方向）に所定の間隔をおいて室外側及び室内側に、上方に突出する室外側係合片３２０及び室内側係合片３３０と、を有する室内側保護カバー１１Ｂを備え、室外側保護カバー１１Ａと室内側保護カバー１１Ｂとは一体化しているが、室外側カバー本体１２０と室内側カバー本体１３０との間に形成されたノッチ（刻み目、切欠）１４を境（室内側係合片２３０の室内側近傍）にして分離可能になっている。なお、後述するように、室外側係合片３２０及び室内側係合片３３０とは、内障子用レール部５４上面の両側面に外側からそれぞれ係止するものであるので、室外側係合片３２０と室内側係合片３３０との間隔は、内障子用レール部５４上面の両側面（詳しくは上面の室外側張出部分の側面と上面の室内側張出部分の側面との間隔）の幅と略同等若しくは若干大きめが好ましい。
【００４０】
下枠フラットサッシ用下枠保護カバー１１の使用態様としては、まず、施工業者や職人等が出入りする出入り口部分の室外側から室内側に跨るように、この下枠５０上に下枠フラットサッシ用下枠保護カバー１１を設置して使用する。具体的には、図１５(１)に示すように、第３の立ち上がり片５３に形成された網戸レール部５３Ａの室外側片５３Ｂに室外側保護カバー１１Ａの室外側係合片２２０を外側から重なり合うように係合させ、同様に、外障子用レール部５５上面の側面（詳しくは上面の室内側張出部分の側面）に室外側保護カバー１１Ａの室内側係合片２３０を外側から重なり合うように係合させればよい。これら室外側係合片２２０及び室内側係合片２３０によって、下枠フラットサッシ用下枠保護カバー１１のサッシ見込み方向のスライドや回転が防止され、下枠５０に固定されるものである。それと共に、室内側カバー本体１１Ｂの室内側端が第１の立ち上がり片５１の上端部に当接し、室内側カバー本体１３０を支え、室内側カバー本体１３０が下方に傾くことを防止している。
【００４１】
現場作業終了後引渡しまでの間においては、内障子６１と外障子６２とは閉じられた状態（クレセントを閉じた状態）であるが、その際には、図１５（２）に示すように、ノッチ１４で室外側保護カバー１１Ａと室内側保護カバー１１Ｂとを分離し、図１５（３）に示すように、内障子６１と外障子６２とを閉じた状態で、それぞれ下枠５０の室外側と室内側とを覆うようにすることができる。室内側保護カバー１１Ｂについては、その上面と下面とをひっくり返し、内障子用レール部５４上面の側面（詳しくは上面の室外側張出部分の側面）に室外側係合片３２０を外側から重なり合うように係合させ、同様に、内障子用レール部５４上面の側面（詳しくは上面の室内側張出部分の側面）に室内側係合片３３０を外側から重なり合うように係合させることができるようになっている。それと共に、この際には、室内側カバー本体１３０の室内側部分が第１の立ち上がり片５１の上端部に当接し、室内側カバー本体１３０が下方に傾くことを防止している。
【００４２】
なお、この室内側カバー本体１３０に形成された室外側係合片３２０及び室内側係合片３３０が上方に突出するように形成されているのは、片引きサッシの下枠７０やドア用サッシの下枠８０でも使用できることを考慮してのことであり、室外側保護カバー１１Ａと室内側保護カバー１２Ｂとが一体化され成形されている状態で、かつ室外側片５３Ｂと外障子用レール部５５（片引き障子用レール部７４，上面構成部材８４）上面の室内側の側面（詳しくは上面の室内側張出部分の側面）との長さが同じであれば、内障子用レール部５４が形成されていない下枠７０や下枠８０でも、載置することができるからである。
【００４３】
また、上記下枠フラットサッシ用下枠保護カバー１１の変形例として、図１４及び図１６に示す、下枠フラットサッシ用下枠保護カバー１１０を提案することができる。保護カバー１１との大きな相違点は、下枠５０に結露受け部５１Ａが形成された場合で、この結露受け部５１Ａも覆うことができる点である。この下枠フラットサッシ用下枠保護カバー１１０は、サッシ下枠５０の長手方向に延在する平板状の室外側カバー本体１２１と、この室外側カバー本体１２１の幅方向（サッシ見込み方向）の室外側の端部から下方に突出する室外側係合片２２１と、この室外側カバー本体１２１の幅方向（サッシ見込み方向）の室内側の端部から下方に突出する室内側係合片２３１と、を有する室外側保護カバー１１０Ａを備えていると共に、サッシ下枠５０の長手方向に延在する平板状の室内側カバー本体１３１と、この室内側カバー本体１３０の幅方向（サッシ見込み方向）の室内側端部から下方に突出する室内側係合片３３１と、を有する室内側保護カバー１１０Ｂを備え、室外側保護カバー１１０Ａと室内側保護カバー１１０Ｂとは一体化しているが、室外側カバー本体１２１と室内側カバー本体１３１との間に形成されたノッチ１４を境（室内側係合片２３１の室内側近傍）にして分離可能になっている。また、室内側係合片３３１が形成される、室内側カバー本体１３０の室内側端部よりも若干室外側寄りには、ノッチ１５が形成されており、このノッチ１５を境に室内側カバー本体１３１と室内側係合片３３１とを分離若しくは室内側係合片３３１を上方等に折曲げることができる。
【００４４】
下枠フラットサッシ用下枠保護カバー１１０の使用態様としては、図１６（１）に示すように、まず、施工業者や職人が出入りする出入り口部分の室外側から室内側に跨るように、この下枠５０上に下枠フラットサッシ用下枠保護カバー１１０を設置して使用する。具体的には、第３の立ち上がり片５３に形成された網戸レール部５３Ａの室外側片５３Ｂに室外側保護カバー１１０Ａの室外側係合片２２１を外側から重なり合うように係合させ、同様に、外障子用レール部５５上面の側面（詳しくは上面の室内側張出部分の側面）に室外側保護カバー１１０Ａの室内側係合片２３１を外側から重なり合うように係合させ、さらに、結露受け部５１Ａの室内側に形成された立ち上がり部５１Ｂの側面に室内側係合片３３１が外側から重なり合うように係合させればよい。これら室外側係合片２２１、室内側係合片２３１及び室内側係合片３３１によって、下枠フラットサッシ用下枠保護カバー１１０のサッシ見込み方向のスライドや回転が防止され、下枠５０に固定されるようになっている。それと共に、室内側カバー本体１３１の室内側端が立ち上がり部５１Ｂの上端部に当接し、室内側カバー本体１３１を支えている。
【００４５】
この下枠フラットサッシ用下枠保護カバー１１０では、現場作業中、下枠５０に木枠Ｗ等の枠を取付ける際に、室内側係合片３３１の存在が邪魔になる場合には、図１６（２）に示すように、ノッチ１５を境に室内側カバー本体１３１と室内側係合片３３１とを分離若しくは室内側係合片３３１を上方に折曲げるようにして、木枠Ｗ等の枠の取付け作業を容易化できるようになっている。
【００４６】
そして、現場作業終了後引渡しまでの間においては、内障子６１と外障子６２とは閉じられた状態（クレセントを閉じた状態）であるが、その際には、図１６（３）に示すように、ノッチ１４で室外側保護カバー１１０Ａと室内側保護カバー１１０Ｂとを分離し、内障子６１と外障子６２とを閉じた状態で、室外側保護カバー１１０Ａで下枠５０の室外側を覆うようにすることができる。なお、この際には、室内側保護カバー１１０Ｂで下枠５０の室内側を覆うようにしてもよい。
【図面の簡単な説明】
【００４７】
【図１】本発明に係る下枠フラットサッシ用下枠保護カバーにおける室外側保護カバーの側面図である。
【図２】室外側保護カバーを引き違い用サッシに使用した状態の説明図である。
【図３】本発明に係る下枠フラットサッシ用下枠保護カバーにおける室内側保護カバーの側面図である。
【図４】室内側保護カバーを引き違い用サッシに使用した状態の説明図である。
【図５】室外側保護カバーと室内側保護カバーとを組み合わせた状態の側面図である。
【図６】室外側保護カバーと室内側保護カバーとを引き違い用サッシに使用した状態の説明図である。
【図７】室外側保護カバーと室内側保護カバーとを引き違い用サッシに使用した状態の縦断面図である。
【図８】室外側保護カバーと室内側保護カバーとを引き違い用サッシに使用した状態の平面図である。
【図９】室外側保護カバーを片引き用サッシに使用した状態の縦断面図である。
【図１０】室外側保護カバーを片引き用サッシに使用した状態の平面図である。
【図１１】室外側保護カバーをドア用サッシに使用した状態の縦断面図である。
【図１２】室外側保護カバーをドア用サッシに使用した状態の平面図である。
【図１３】下枠フラットサッシ用下枠保護カバーの他の実施の形態Iの側面図である。
【図１４】下枠フラットサッシ用下枠保護カバーの他の実施の形態IIの側面図である。
【図１５】他の実施の形態Iのものを引き違い用サッシに使用した状態の説明図である。
【図１６】他の実施の形態IIのものを引き違い用サッシに使用した状態の説明図である。
【図１７】下枠にグレーチングを取付けた状態を示す斜視図である。
【符号の説明】
【００４８】
１…下枠フラットサッシ用下枠保護カバー（保護カバー）、２…室外側保護カバー、３…室内側保護カバー、１１…下枠フラットサッシ用下枠保護カバー（保護カバー）、１１Ａ…室外側保護カバー、１１Ｂ…室内側保護カバー、１２…、１３…、１４…ノッチ、１５…ノッチ、２１…（室外側）カバー本体、２２…室外側係合片、２３…室内側係合片、３１…（室内側）カバー本体、３２…室外側係合片、３３…室内側係合片、３４…脚部、５０…（引き違いサッシ用）下枠、５１…第１の立ち上がり片、５２…第２の立ち上がり片、５３…第３の立ち上がり片、５３Ａ…網戸レール部、５３Ｂ…室外側片、５４…内障子用レール部、５４Ａ…ストッパー、５５…外障子用レール部、５５Ａ…ストッパー、５６…内障子室内側ガイド溝、５７…内障子室外側ガイド溝、５８…外障子室内側ガイド溝、５９…外障子室外側ガイド溝、６１…内障子、６１Ａ…戸車、６１Ｂ…内障子室内側垂下片、６１Ｃ…内障子室外側垂下片、６１Ｄ…内障子召し合わせ框、６１Ｅ…内障子戸当り框、６２…外障子、６２Ａ…戸車、６２Ｂ…外障子室内側垂下片、６２Ｃ…外障子室外側垂下片、６２Ｄ…外障子召し合わせ框、６３…網戸、６３Ａ…戸車、６４…片引き障子、６４Ａ…戸車、６４Ｂ…室内側垂下片、６４Ｃ…室外側垂下片、６４Ｅ…戸当り框、６５…嵌め殺し窓、７０…（片引きサッシ用）下枠、７１…第１の立ち上がり片、７２…第２の立ち上がり片、７３…第３の立ち上がり片、７３Ａ…網戸レール部、７３Ｂ…室外側片、７４…片引き障子用レール部、７４Ａ…ストッパー、７５…室内側ガイド溝、７６…室外側ガイド溝、８０…（ドアサッシ用）下枠、８１…第１の立ち上がり片、８２…第２の立ち上がり片、８３…第３の立ち上がり片、８３Ｂ…室外側片、８４…上面構成部、８５…室内側排水溝、８６…室外側排水溝、８７…室内側上面、９０…グレーチング、９１…受け支持部材、９１Ａ…室内側上部、１１０…下枠フラットサッシ用下枠保護カバー（保護カバー）、１１０Ａ…室外側保護カバー、１１０Ｂ…室内側保護カバー、１２０…室外側カバー本体、１２１…室外側カバー本体、１３０…室内側カバー本体、１３１…室内側カバー本体、２２０…室外側係合片、２２１…室外側係合片、２３０…室内側係合片、２３１…室内側係合片、３２０…室内側係合片、３３０…室外側係合片、３３１…室内側係合片。
【図１】
2006124950.tif 000003
【図２】
2006124950.tif 000004
【図３】
2006124950.tif 000005
【図４】
2006124950.tif 000006
【図５】
2006124950.tif 000007
【図６】
2006124950.tif 000008
【図７】
2006124950.tif 000009
【図８】
2006124950.tif 000010
【図９】
2006124950.tif 000011
【図１０】
2006124950.tif 000012
【図１１】
2006124950.tif 000013
【図１２】
2006124950.tif 000014
【図１３】
2006124950.tif 000015
【図１４】
2006124950.tif 000016
【図１５】
2006124950.tif 000017
【図１６】
2006124950.tif 000018
【図１７】
2006124950.tif 000019